(57)【要約】【課題】  従来の、バグフィルター用ろ布に付着したダストの除去方法は、あらかじめ集塵機に装備したエア管を用いてろ布の口元から圧縮空気を吹き込んだり、または清掃器具を用いてろ布の目詰まりを除去する方法を採用している。  しかし、現実的にはその効果は小さく、大部分のユーザーは強度的に寿命に達していなくても新品ろ布に交換しているのが現状である。【解決手段】  外筒と内筒の間に空気室を設け、圧縮空気の運動量を増大させた空気を高速で回転しながら噴射させて、円筒状のろ布内面全周に渡って、または、昇降させることによってろ布全面をむらなくクリーニングできる。  そして、高速回転しながら断続的に噴射することによりろ布に連続振動を与えながら、かつ、ろ布の強度劣化を起こさせないようにしてダスト剥離を向上させることができる。【選択図】  図１
2005125293.tif 000002
【特許請求の範囲】
【請求項１】
コンプレッサーに接続したホースから、内筒に供給された空気が内部の充填室に充填され、対角に空けられた二箇所の穴から出て、内筒と外筒の間に設けられた空気室に圧縮充満された後、外筒の二箇所の噴射孔に逃げようとする力により、外筒が回転しはじめ、その時、外筒の上下に装着されているベアリングの効果により回転をスムーズにし、かつ、噴射孔に角度を付けることによって、高速回転しながら空気噴射することを特徴とするバグフィルターろ布の目詰まり除去用回転式ジェットエアブロークリーニング装置。
【請求項２】
内筒と外筒の間に設けられた空気室内に圧縮充満された空気は、外筒が回転して、内筒の吹き出し穴と外筒の噴射孔の穴が一直線に合わさった時、強力な運動量を得て、さらに、内筒の穴径よりも外筒の噴射孔径を小さくすることにより強力な噴射動圧となって、断続的にしかも高速で回転するジェットエアブロークリーニング装置。
【請求項３】
高速回転の効果から、噴射間隔が短くなり高圧縮空気が連続してろ布に当たっても、同一面に当たる時間を瞬間的にすることにより、ろ布の強度劣化を起こさせないで、ろ布の内面（清浄面）からダストを吹き飛ばして、通気度を回復させる請求項１及び２に記載のバグフィルターろ布の目詰まり除去用回転式ジェットエアブロークリーニング装置。
【請求項４】
噴射動圧と回転スピードのアップに伴い、ろ布に与える叩き振動の増大化と共にろ布内部（筒内）での空気の反動によるゆさぶり作用も加わり、ろ布の外面に付着したダスト層にクラックを発生させたり、浮き上がらせたりしてダスト剥離を助長させることを特徴とした請求項１，２および３記載のバグフィルターろ布の目詰まり除去用回転式ジェットエアブロークリニング装置。
【請求項５】
本装置が直接ろ布に接触して破損を起こさないための防護策として、ろ布の内径よりも小さい外形を有し、かつ、本装置より一回り大きいサイズの５メッシュ位の格子状のプロテクターを本装置に取り付けて、ろ布との安全距離を保ちながらろ布の内部を昇降させて、ろ布の内側全面に渡って圧縮空気を噴射させて、通気度を回復させる請求項１．２．３．４及び５記載のバグフィルターろ布の目詰まり除去用回転式ジェットエアブロークリーニング装置。
【発明の詳細な説明】
【技術分野】
【０００１】  本発明は、バグフィルターろ布を集塵機に装着したまま、ろ布の目詰まりを解消させて通気度を回復させる回転式ジェットエアブロークリーニング装置に関する。
【背景技術】
【０００２】  焼却炉のばいじんや、環境集じんガスに混じった小さなダストやダイオキシンなどを捕集する装置として、バグフィルターが採用されている。【０００３】  上記バグフィルターでは、温度管理ミスによる結露や運転上のトラブルにより、早期にろ布の目詰まりが発生することがある。
その場合、ろ布は強度面では寿命に達していなくても、新品と交換しなければろ過できない状況に陥る。そのため、ユーザーのコスト負担が大きくなっているのが現状である。【０００４】  従来でも、ろ布の強度を劣化させないで、目詰まりを除去する方法として、集塵機に装備したエア管から圧縮空気を噴射させるパルスエア払い落とし方式、及び回転ノズル式の清掃装置を用いる方法が行われていた。（例えば、特許文献１参照）しかし、その効果は小さく、現実的にはユーザーは一度目詰まりしたろ布は新品に交換することがほとんどである。
【特許文献１】  特開２００１−２５９５５７  公報
【発明の開示】
【発明が解決しようとする課題】
【０００５】  以上述べた従来のバグフィルターろ布の目詰まり除去用清掃装置では、あまり効果がなく通気度の回復度も小さい。【０００６】  本発明は、このような従来の構成が有していた問題を解決しようとするものであり、バグフィルターろ布の目詰まりを効果的に除去し、ろ布の強度劣化させないで通気度を回復させることを目的とするものである。
【課題を解決するための手段】
【０００７】  そして、本発明は上記目的達成するために、バグフィルターろ布の内径よりも小さい外径を有するサイズの装置全体とし、コンプレッサーに接続した空気ホースを内筒の入り口に接続して圧縮空気を供給し、高速回転させながら、断続的にしかも継続した威力を保ちながら、外筒の噴射孔から圧縮空気をろ布清浄面に噴射させてろ布の外側に付着したダストを吹き飛ばすものである。【０００８】  集塵機（バグフィルター）にろ布を装着したまま、ろ布の口元から本装置を挿入し、空気ホースを吊り下げた状態で、内筒に送り込まれた圧縮空気が内筒内の充填室を経て対角に空けられた二箇所の穴から出て、内筒と外筒の間の空気室内に圧縮され、外筒の二箇所の噴射孔（出口）に逃げようとする力により、外筒が回転する。
さらに、外筒の二つの穴に一方方向の角度を付け、かつ、上、下にベアリングを装着してスムーズに高速回転ができるようにした。【０００９】  また、外筒と内筒の間の空気室に圧縮充満された空気は、一瞬、行き場を失った状態になり、内筒の吹き出し穴と外筒の噴射孔の穴が一直線に合わさった時、強力な運動量を得て大きな動圧が働き、瞬間的に外筒の噴射孔から高速の圧縮空気が噴射される。
そして、回転することによりこのメカニズムが繰り返し行われる。【００１０】  さらに、内筒の吹き出し穴径よりも、外筒の噴射孔の穴径を少し小さくすることにより、いっそう圧縮空気の風速が早くなり、ろ布に付着しているダスト（粒子）をより多く吹き飛ばすことができる。また、外筒噴射孔の二つの穴の位置を対角より若干ずらすことにより、圧縮空気の運動量をロスすることなく、連続的に強い動圧を保って噴射ができる構造になっている。【００１１】  また、高速回転することによって、噴射間隔が短くなり、圧縮空気がろ布の同一面に当たる時間が瞬間的になることから、ろ布の破損及び強度劣化はほとんど発生しない。【００１２】  また、噴射動圧のアップにより、ろ布に与える叩き振動の増大化と共に、ろ布に回転しながら噴射される圧縮空気の反動による揺さぶり振動の相乗作用で、ろ布の外面に付着しているダスト層にクラックを発生させたり、浮き上がらせたりして、ダスト剥離を助長させている。【００１３】  また、本装置が直接ろ布に接触して、ろ布の破損及び損傷を起こさないための予防策とし、ろ布の内径よりも小さい外径を有し、かつ、本装置より一回り大きいサイズのプロテクター（格子状）を取り付けて、ろ布との安全距離を保持するようにする。そして、ろ布筒内全面に渡って安全に回転ジェットエアクリーニングができるようにした。
【発明の効果】
【００１４】  上述したように本発明のバグフィルターろ布クリーニング装置は、ろ布を劣化させることなく、万遍なく、付着したダストを除去し、通気度を回復させてろ布のリサイクルを可能にした装置である。【００１５】  そして、運転上のトラブルに起因するバグフィルターろ布の早期目詰まりの解消、並びに通常品の更なる寿命アップを図り、新ろ布代と交換工事費及び旧ろ布の処分費の削減。
特に高額な処分費を費やすダイオキシン類の含まれた産業廃棄物（旧ろ布）をリサイクルするという効果を発揮するものである。
【発明を実施するための最良の形態】
【００１６】  以下、本発明の実施の形態を図１〜図２に基づいて説明する。【００１７】  図においては、１が内筒で、上下のベアリング５が支持体となって２の外筒と一体になった回転ノズル装置であり、内筒１の上部８をコンプレッサーに接続した空気ホースの端部と接続して、圧縮空気を吹き込む【００１８】  ７は、内筒１の内部をくり抜いて作った空気充填室であり、充填された圧縮空気は、４の吹き出し穴から出て６の空気室に圧縮充満された後、外筒２に角度をつけて空けられた噴射孔３から高速回転しながら、断続的に勢いよく噴射される。【００１９】  また、３の噴射孔の穴径は、４の吹き出し穴径よりも若干小さくて、かつ、対角線上より少しずらせて空けている。これは、噴射空気の風速をアップして、しかも、ロスさせないで連続的に強い噴射を可能にするためである。【００２０】  以下、上記構成の動作を説明すると、内筒の上部８から供給された圧縮空気が、内筒の空気充填室７を経て、吹き出し穴４を通過して空気室６に圧縮充満された後、３の外筒噴射孔に逃げようとする力で外筒が回転し、かつ、噴射孔３を一方方向に角度をつけて空けていることと、上、下のベアリング５の効果により高速回転する。【００２１】  また、内筒の吹き出し穴４と、外筒の噴射孔３が一直線に合わさった時、瞬間的に強力な運動量を得て噴射孔３から強い総圧空気が噴射される。
そして、次にまた一直線に合わされるまでに圧縮空気が内筒の空気充填室７と空気室６に圧縮充満されてまた同様の作用が繰り返し行われる。
【実施例】  以下、本発明の実施例を説明する。【００２２】  本実施例、運転上のトラブルによって早期に目詰まりが発生したバグフィルターろ布φ１５５ｍｍ×Ｌ４，５００ｍｍ３２０本に回転式ジェットエアブロークリーニングを実施した。【００２３】  その結果、ろ布の目づまりが解消されて１７箇月経過した現在も、問題なく使用されている。
【図面の簡単な説明】
【００２４】
【図１】本発明の実施形態を示す回転式ジェットエアブロークリーニング装置の切断側面図
【図２】同装置のＡ−Ａ線断面図
【符号の説明】
【００２５】  １  内筒
２  外筒
３  噴射孔
４  吹出し口
５  ベアリング
６  空気室
７  充填室
８  圧縮空気供給口
【図１】
2005125293.tif 000003
【図２】
2005125293.tif 000004